(57)【要約】      （修正有）【課題】実用面においても、製造を行う製造面においても、使用後の廃棄処理における環境面においても優れたスライド開閉式紙製扇子を提供する。【解決手段】５枚の紙製シート２、３、４、５、６を、紙製シート２を最下層にして、紙製シート２の孔部２ｅの上に、紙製シート３の孔部３ｅが重なるように、紙製シート３を紙製シート２の上に積層し、更に、紙製シート３の孔部３ｅの上に、紙製シート４の孔部４ｅが重なるように、紙製シート４を紙製シート３の上に積層し、更に、紙製シート４の孔部４ｅの上に、紙製シート５の孔部５ｅが重なるように、紙製シート５を紙製シート４の上に積層し、更に、紙製シート５の孔部５ｅの上に、紙製シート６の孔部６ｅが重なるように、紙製シート６を紙製シート５の上に積層し、５枚の紙製シートを上下方向に積層されている孔部の位置を中心として旋回させて扇状に広げ、この時に隣接する一方の紙製シートの切込み部に、隣接する他方の紙製シートの側縁辺を装入して固定する。【選択図】図３
0003228207.tif 000002
【実用新案登録請求の範囲】
【請求項１】
基端から先端に向かって長手方向に伸びる薄板状で、前記基端の側に孔部を備えていると共に、前記基端から前記先端に向かって伸びる２つの側縁辺の先端側における一方又は両方に前記側縁辺に対して交差する方向で中央側に向かって伸びる切込み部を備えている紙製シートの複数枚が、各紙製シートの前記孔部の位置で重ね合わされて積層され、当該積層された前記孔部の位置を中心として複数枚の前記紙製シートが旋回可能に前記孔部の位置で支持されてなるスライド開閉式紙製扇子であって、
複数枚の前記紙製シートを前記孔部の位置を中心として旋回させて扇状に広げたときに隣接する一方の前記紙製シートの前記切込み部に、隣接する他方の前記紙製シートの前記側縁辺を装入して固定することで、前記扇状に広げた状態を固定でき、
前記固定されている状態を解除して複数枚の前記紙製シートを前記孔部の位置を中心として旋回させてとじたときに、複数枚の前記紙製シートの厚みを有する、一枚の前記紙製シート分のサイズになる
スライド開閉式紙製扇子。
【請求項２】
複数枚の前記紙製シートが、各紙製シートの前記孔部の位置で重ね合わされて積層された際に最下層に位置する前記紙製シートあるいは、最上層に位置する前記紙製シートは、前記基端から前記先端に対向する方向に延出する紙製の止め辺部を前記基端に備えており、当該止め辺部が折り曲げられて積層されている複数の前記孔部内に挿入されて掛止されることで、積層された前記孔部の位置を中心として複数枚の前記紙製シートが旋回可能に前記孔部の位置で支持されている請求項１記載のスライド開閉式紙製扇子。
【請求項３】
複数枚の前記紙製シートを前記孔部の位置を中心として旋回させて扇状に広げたときに隣接する一方の前記紙製シートの前記側縁辺に前記切込み部が存在し、隣接する他方の前記紙製シートの前記側縁辺に前記切込み部が存在しない場合には、一方の前記紙製シートの前記切込み部に隣接する他方の前記紙製シートの前記側縁辺を装入することで前記固定が行われ、
複数枚の前記紙製シートを前記孔部の位置を中心として旋回させて扇状に広げたときに隣接する一方の前記紙製シートの前記側縁辺に前記切込み部が存在し、隣接する他方の前記紙製シートの前記側縁辺にも前記切込み部が存在する場合には、一方の前記紙製シートの前記切込み部に隣接する他方の前記紙製シートの前記側縁辺を装入する前記固定は、互いの前記切込み部を&#22169;合わせる形態で行われる
請求項１又は２記載のスライド開閉式紙製扇子。
【考案の詳細な説明】
【技術分野】
【０００１】
この発明は、スライド開閉式の紙製扇子に関する。
【背景技術】
【０００２】
板状の紙製シートや合成樹脂製シート等のシート素材の複数枚を積層し、積層された複数枚の前記シート素材を一方の端側を中心として旋回可能にすることで、旋回して扇状に開いて扇子として使用し、扇子として使用しないときには、元に戻して複数枚の前記シート素材が積層されている状態にしておくスライド開閉式の扇子が従来から提案されている（例えば、特許文献１）。
【先行技術文献】
【特許文献】
【０００３】
【特許文献１】特開２００８−２９５９９６号公報
【考案の概要】
【考案が解決しようとする課題】
【０００４】
扇子や宣伝・広告物、ノベルティグッズとしての実用面においても、製造を行う製造面においても、使用後の廃棄処理における環境面においても優れたスライド開閉式紙製扇子を提供する。
【課題を解決するための手段】
【０００５】
[１]
基端から先端に向かって長手方向に伸びる薄板状で、前記基端の側に孔部を備えていると共に、前記基端から前記先端に向かって伸びる２つの側縁辺の先端側における一方又は両方に前記側縁辺に対して交差する方向で中央側に向かって伸びる切込み部を備えている紙製シートの複数枚が、各紙製シートの前記孔部の位置で重ね合わされて積層され、当該積層された前記孔部の位置を中心として複数枚の前記紙製シートが旋回可能に前記孔部の位置で支持されてなるスライド開閉式紙製扇子であって、
複数枚の前記紙製シートを前記孔部の位置を中心として旋回させて扇状に広げたときに隣接する一方の前記紙製シートの前記切込み部に、隣接する他方の前記紙製シートの前記側縁辺を装入して固定することで、前記扇状に広げた状態を固定でき、
前記固定されている状態を解除して複数枚の前記紙製シートを前記孔部の位置を中心として旋回させてとじたときに、複数枚の前記紙製シートの厚みを有する、一枚の前記紙製シート分のサイズになる
スライド開閉式紙製扇子。
【０００６】
[２]
複数枚の前記紙製シートが、各紙製シートの前記孔部の位置で重ね合わされて積層された際に最下層に位置する前記紙製シートあるいは、最上層に位置する前記紙製シートは、前記基端から前記先端に対向する方向に延出する紙製の止め辺部を前記基端に備えており、当該止め辺部が折り曲げられて積層されている複数の前記孔部内に挿入されて掛止されることで、積層された前記孔部の位置を中心として複数枚の前記紙製シートが旋回可能に前記孔部の位置で支持されている[１]のスライド開閉式紙製扇子。
【０００７】
[３]
複数枚の前記紙製シートを前記孔部の位置を中心として旋回させて扇状に広げたときに隣接する一方の前記紙製シートの前記側縁辺に前記切込み部が存在し、隣接する他方の前記紙製シートの前記側縁辺に前記切込み部が存在しない場合には、一方の前記紙製シートの前記切込み部に隣接する他方の前記紙製シートの前記側縁辺を装入することで前記固定が行われ
複数枚の前記紙製シートを前記孔部の位置を中心として旋回させて扇状に広げたときに隣接する一方の前記紙製シートの前記側縁辺に前記切込み部が存在し、隣接する他方の前記紙製シートの前記側縁辺にも前記切込み部が存在する場合には、一方の前記紙製シートの前記切込み部に隣接する他方の前記紙製シートの前記側縁辺を装入する前記固定は、互いの前記切込み部を&#22169;合わせる形態で行われる
[１]又は[２]のスライド開閉式紙製扇子。
【考案の効果】
【０００８】
扇子や宣伝・広告物、ノベルティグッズとしての実用面においても、製造を行う製造面においても、使用後の廃棄処理における環境面においても優れたスライド開閉式紙製扇子を提供することができる。
【図面の簡単な説明】
【０００９】
【図１】この考案の一実施形態に係るスライド開閉式紙製扇子を構成する５枚の紙製シートを表す平面図。
【図２】図１図示の５枚の紙製シートを各紙製シートの孔部の位置で重ね合わせて積層し、孔部の位置を中心として各紙製シートを旋回させ、上下の各紙製シート同士の間でスライドさせて扇状に広げた状態の平面図。
【図３】図２図示の状態で積層されている５枚の紙製シートを各紙製シートの孔部の位置で扇状に旋回可能に支持し、更に、扇状に広げられている状態で隣接する一方の紙製シートの切込み部に隣接する他方の紙製シートの側縁辺を装入して固定することで扇状に広げた状態を固定した状態を表す平面図。
【図４】図３図示の扇状に広げられて固定されている状態を解除して５枚の紙製シートを孔部の位置を中心として旋回させ、上下の各紙製シート同士の間でスライドさせてとじて５枚の紙製シートの厚みを有する、一枚の紙製シート分のサイズにした状態を表す平面図。
【考案を実施するための形態】
【００１０】
この実施形態のスライド開閉式紙製扇子１は、複数枚の紙製シート２、３、４、５、６を備えている。
【００１１】
紙製シート２、３、４、５、６は、いずれも基端２ａ、３ａ、４ａ、５ａ、６ａから先端２ｂ、３ｂ、４ｂ、５ｂ、６ｂに向かって長手方向に伸びる薄板状で、基端２ａ、３ａ、４ａ、５ａ、６ａから先端２ｂ、３ｂ、４ｂ、５ｂ、６ｂに向かって伸びる２つの側縁辺２ｃ、２ｄ、３ｃ、３ｄ、４ｃ、４ｄ、５ｃ、５ｄ、６ｃ、６ｄをそれぞれ備えている。
【００１２】
紙製シート２、３、４、５、６それぞれの先端２ｂ、３ｂ、４ｂ、５ｂ、６ｂの側における側縁辺２ｃ、２ｄ、３ｃ、３ｄ、４ｃ、４ｄ、５ｃ、５ｄ、６ｃ、６ｄの一方あるいは、双方には、側縁辺２ｃ〜６ｄに対して交差する方向で、紙製シート２、３、４、５、６の中央側に向かって伸びる切込み部が形成されている。
【００１３】
紙製シート２では側縁辺２ｃに切込み部は形成されておらず、先端２ｂの側における側縁辺２ｄに、側縁辺２ｄに対して交差する方向で、紙製シート２の中央側に向かって伸びる切込み部２ｇが形成されている。
【００１４】
紙製シート３では、先端３ｂの側における側縁辺３ｃと側縁辺３ｄとの双方に、それぞれ、側縁辺３ｃと３ｄとに交差する方向で、紙製シート３の中央側に向かって伸びる切込み部３ｆ、３ｇが形成されている。
【００１５】
紙製シート４では、先端４ｂの側における側縁辺４ｃと側縁辺４ｄとの双方に、それぞれ、側縁辺４ｃと４ｄとに交差する方向で、紙製シート４の中央側に向かって伸びる切込み部４ｆ、４ｇが形成されている。
【００１６】
紙製シート５では、先端５ｂの側における側縁辺５ｃと側縁辺５ｄとの双方に、それぞれ、側縁辺５ｃと５ｄとに交差する方向で、紙製シート５の中央側に向かって伸びる切込み部５ｆ、５ｇが形成されている。
【００１７】
紙製シート６では側縁辺６ｄに切込み部は形成されておらず、先端６ｂの側における側縁辺６ｃに、側縁辺６ｃに対して交差する方向で、紙製シート６の中央側に向かって伸びる切込み部６ｆが形成されている。
【００１８】
紙製シート２、３、４、５、６は、いずれも、それぞれの基端２ａ、３ａ、４ａ、５ａ、６ａの側に孔部２ｅ、３ｅ、４ｅ、５ｅ、６ｅを備えている。
【００１９】
これらの複数枚の紙製シート２、３、４、５、６は、図２〜図４図示のように、各紙製シート２、３、４、５、６の孔部２ｅ、３ｅ、４ｅ、５ｅ、６ｅの位置で重ね合わされて積層される。
【００２０】
そして、この積層された孔部２ｅ、３ｅ、４ｅ、５ｅ、６ｅの位置を中心として複数枚の紙製シート２、３、４、５、６が、図２、図３図示のように、旋回可能に孔部２ｅ、３ｅ、４ｅ、５ｅ、６ｅの位置で支持されている。
【００２１】
図２は、図１に図示した５枚の紙製シート２、３、４、５、６を、紙製シート２を最下層にして、紙製シート２の孔部２ｅの上に、紙製シート３の孔部３ｅが重なるように、紙製シート３を紙製シート２の上に積層し、更に、紙製シート３の孔部３ｅの上に、紙製シート４の孔部４ｅが重なるように、紙製シート４を紙製シート３の上に積層し、更に、紙製シート４の孔部４ｅの上に、紙製シート５の孔部５ｅが重なるように、紙製シート５を紙製シート４の上に積層し、更に、紙製シート５の孔部５ｅの上に、紙製シート６の孔部６ｅが重なるように、紙製シート６を紙製シート５の上に積層し、５枚の紙製シート２、３、４、５、６を上下方向に積層されている孔部２ｅ、３ｅ、４ｅ、５ｅ、６ｅの位置を中心として旋回させて扇状に広げ、この時に隣接する一方の紙製シートの切込み部に、隣接する他方の紙製シートの側縁辺を装入して固定することで、扇状に広げた状態を固定できるようにすることを説明するものである。
【００２２】
図２では、一方の紙製シートである紙製シート２の切込み部２ｇに隣接する他方の紙製シートである紙製シート３の側縁辺３ｃが装入されることで固定が行われ、一方の紙製シートである紙製シート３の切込み部３ｇに隣接する他方の紙製シートである紙製シート４の側縁辺４ｃが装入されることで固定が行われ、一方の紙製シートである紙製シート４の切込み部４ｇに隣接する他方の紙製シートである紙製シート５の側縁辺５ｃが装入されることで固定が行われ、一方の紙製シートである紙製シート５の切込み部５ｇに隣接する他方の紙製シートである紙製シート６の側縁辺６ｃが装入されることで固定が行われている。
【００２３】
なお、図１図示の実施形態では、側縁辺３ｃ、４ｃ、５ｃ、６ｃは、それぞれ切込み部３ｆ、４ｆ、５ｆ、６ｆを備えている。そこで、図２図示のように、５枚の紙製シート２、３、４、５、６を上下方向に積層されている孔部２ｅ、３ｅ、４ｅ、５ｅ、６ｅの位置を中心として旋回させて扇状に広げ、この時に隣接する一方の紙製シートの切込み部に、隣接する他方の紙製シートの側縁辺を装入して固定するときに、図示していないが、一方の紙製シートである紙製シート２の切込み部２ｇに隣接する他方の紙製シートである紙製シート３の切込み部３ｆを&#22169;合わせることで固定が行われ、一方の紙製シートである紙製シート３の切込み部３ｇに隣接する他方の紙製シートである紙製シート４の切込み部４ｆを&#22169;合わせることで固定が行われ、一方の紙製シートである紙製シート４の切込み部４ｇに隣接する他方の紙製シートである紙製シート５の切込み部５ｆを&#22169;合わせることで固定が行われ、一方の紙製シートである紙製シート５の切込み部５ｇに隣接する他方の紙製シートである紙製シート６の切込み部６ｆを&#22169;合わせることで固定が行われる形態にすることもできる。
【００２４】
この実施形態では、図２図示のように積層される際に最下層に位置する紙製シート２は、基端２ａから先端２ｂに対向する方向に延出する紙製の止め辺部２ｈを基端２ａに備えている（図１）。
【００２５】
図示の実施形態では、止め辺部２ｈは、基端２ａに近い側に折り曲げ部２ｉを備えている。
【００２６】
図２図示の状態で、止め辺部２ｈを折り曲げ部２ｉで折り曲げて、積層されている孔部６ｅから孔部５ｅ、孔部４ｅ、孔部３ｅ、孔部２ｅの中に、図３図示のように、挿入して掛止を行うことで、積層された孔部２ｅ、３ｅ、４ｅ、５ｅ、６ｅの位置を中心として５枚の紙製シート２、３、４、５、６が旋回可能に、孔部２ｅ、３ｅ、４ｅ、５ｅ、６ｅの位置で支持されている構造にすることができる。
【００２７】
紙製の止め辺部２ｈを、いわば、鳩目の代わりに用い、これによって、上下方向に積層されている５枚の紙製シート２、３、４、５、６を、孔部２ｅ、３ｅ、４ｅ、５ｅ、６ｅの位置を中心として旋回可能に留めているものである。
【００２８】
止め辺部２ｈの基端２ａに対向する側である先端側に図１、図２図示のように、突起辺部２ｊ、２ｋを形成しておけば、図２図示の状態で、止め辺部２ｈを折り曲げ部２ｉで折り曲げて、積層されている複数の孔部６ｅ、５ｅ、４ｅ、３ｅ、２ｅの中に、図３図示のように、止め辺部２ｈを挿入して掛止した際に、ストッパとしての機能を発揮できるようになる。そこで、５枚の紙製シート２、３、４、５、６は簡単には分離しないようになる。
【００２９】
なお、止め辺部２ｈは、いわば、鳩目の代わりになって、上下方向に積層されている５枚の紙製シート２〜６を、孔部２ｅ〜６ｅの位置を中心として旋回可能に留めているものであるから、図示していないが、図２図示のように積層される際に最下層に位置する紙製シート２が紙製の止め辺部を備えているのではなく、最上層に位置する紙製シート６が、基端６ａから先端６ｂに対向する方向に延出する、上述した構造、形態の、紙製の止め辺部を、基端６ａに備えている形態にすることもできる。
【００３０】
この場合には、図示していないが、図２図示のように積層した後、止め辺部を折り曲げて、積層されている孔部２ｅから孔部３ｅ、孔部４ｅ、孔部５ｅ、孔部６ｅの中に止め辺部を挿入して掛止を行い、積層された孔部２ｅ〜６ｅの位置を中心として５枚の紙製シート２〜６が旋回可能に、孔部２ｅ〜６ｅの位置で支持されている構造になる。
【００３１】
図３図示のようにして扇状に広げられた状態で固定されているスライド開閉式紙製扇子１を用いることで涼をとるのに十分な風を送ることができる。積層された孔部２ｅ〜６ｅの位置を中心として５枚の紙製シート２〜６が旋回可能に孔部２ｅ〜６ｅの位置で支持され、図３図示のようにして扇状に広げられた状態で固定されているスライド開閉式紙製扇子１において、孔部２ｅ〜６ｅが存在している基端２ａ〜６ａ側が、扇状に広げられているスライド開閉式紙製扇子１を用いて風を起こして涼をとるために使用する際の持ち手部分になる。
【００３２】
図３図示のようにして扇状に広げられた状態で固定されているスライド開閉式紙製扇子１を扇子として風を送ることに使用した後、使用を終了して、とじる際には、一方の紙製シートである紙製シート５の切込み部５ｇから隣接する他方の紙製シートである紙製シート６の側縁辺６ｃを抜き出し、一方の紙製シートである紙製シート４の切込み部４ｇから隣接する他方の紙製シートである紙製シート５の側縁辺５ｃを抜き出し、一方の紙製シートである紙製シート３の切込み部３ｇから隣接する他方の紙製シートである紙製シート４の側縁辺４ｃを抜き出し、一方の紙製シートである紙製シート２の切込み部２ｇから隣接する他方の紙製シートである紙製シート３の側縁辺３ｃを抜き出す。これによって図３図示のような扇状の形態にしているときの隣接する紙製シート同士の間の固定状態が解除される。
【００３３】
このように、固定されている状態を解除して上下方向に積層されている５枚の紙製シート２、３、４、５、６を孔部２ｅ、３ｅ、４ｅ、５ｅ、６ｅの位置を中心として、上下に積層されている紙製シート２、３、４、５、６同士をスライドさせて旋回させ、図４図示の状態にとじると、５枚の紙製シート２、３、４、５、６の厚みを有する、一枚の紙製シート６（５、４、３、２）分のサイズになる。例えば、５枚の紙製シート２、３、４、５、６としてそれぞれ０．８ｍｍ厚の板状の紙製シートを用いれば、図４図示のようにとじた状態で全体の厚さを４ｍｍにすることができる。
【００３４】
このように、本実施形態のスライド開閉式紙製扇子１は、紙製であることから軽量で、図４図示のようにとじた状態では、４ｍｍ程度の厚みで、一枚の紙製シート６（５、４、３、２）分のサイズになるので、持ち運びに便利なものになる。
【００３５】
図４図示の状態から、再び、上下方向に積層されている５枚の紙製シート２〜６を孔部２ｅ〜６ｅの位置を中心として、上下に積層されている紙製シート同士をスライドさせて旋回させ、図３図示のように扇状に開き、隣接している紙製シート同士の間を上述した要領で固定し、孔部２ｅ〜６ｅが存在している基端２ａ〜６ａ側を持ち手部分として、涼をとるために、扇状に広げられているスライド開閉式紙製扇子１で風を起こして使用する。
【００３６】
このように、とじられている状態（図４図示）で、上下に積層されている複数枚の紙製シートを、基端側における孔部の位置を中心として、上下に積層されている紙製シート同士の間でスライドさせて旋回させ、図３図示の扇状に開いた状態にし、その状態を上述した要領で固定・維持することで、孔部２ｅ〜６ｅが存在している基端２ａ〜６ａ側を持ち手部分とし、涼をとるために、扇状に広げられている状態で風を起こして使用し、使用後は、上述した要領で固定状態を解除して、再度、上下に積層されている複数枚の紙製シートを、基端側における孔部の位置を中心として、上下に積層されている紙製シート同士の間でスライドさせて旋回させ、図４図示のとじた状態に戻す、スライド開閉式の紙製の扇子である。
【００３７】
なお、この実施形態では、５枚の紙製シート２〜６を用いて、スライド開閉式紙製扇子１を形成しているが、使用する紙製シートの枚数には制限はなく、任意の複数枚の紙製シートを用いることができる。
【００３８】
紙製シート２、３、４、５、６の表面及び／又は裏面には所望の絵柄、模様、文字などを印刷しておくことができる。０．８ｍｍ等の所定の厚みを有する薄板状の紙製シートを使用することができるので、使用している紙製シート一枚一枚の表面あるいは、裏面、若しくは表面と裏面の双方に、凸版印刷などの技術を用いて印刷することが可能になり、明瞭な印刷表示を行うことができる。
【００３９】
そして、この印刷表示は、孔部２ｅ〜６ｅが形成されている基端２ａ〜６ａの側、すなわち、図３図示のように、扇状に広げ、風を起こして涼をとるために使用する際の持ち手部分まで広く印刷表示を行うことができる。
【００４０】
更に、図３図示のように、扇状に開いて使用する際に、紙製シート２〜６の表面及び／又は裏面に印刷されている所望の絵柄、模様、文字などが連続して、完成している一つの絵柄、模様、文字になるようにすることができる。
【００４１】
そこで、上述したように印刷表示を行うことで、この実施形態のスライド開閉式紙製扇子１は効果的な宣伝・広告物、ノベルティとして使用することが可能になる。
【００４２】
この実施形態のスライド開閉式紙製扇子１は、上述したように、宣伝用などの目的で大量に生産する場合であっても、紙材料だけで、しかも、それぞれ簡易な構造である複数枚の紙製シートを組み合わせるだけで製造することができるので、材料、加工の面でのコストを低減し、製品納期を短縮することが可能になる。
【００４３】
この実施形態のスライド開閉式紙製扇子１によれば、従来、扇子の骨部材として使用されることがあった竹、合成樹脂、等が一切採用されていない。また、従来の扇子において留め具として使用されることがあった金属製あるいは合成樹脂製の鳩目、等の固定具、あるいは、部材同士の間を固定する目的で使用されることがあった接着剤など使用することなしに、紙材料だけでスライド開閉式紙製扇子を作成することができる。
【００４４】
すなわち、この実施形態のスライド開閉式紙製扇子１は、紙のみを材料として使用しているので使用後の廃棄処理の際に分別などを行う必要がなく、可燃ごみとして廃棄することが可能で、焼却処理に問題が生じるおそれのない、環境面で優れたものになる。
【産業上の利用可能性】
【００４５】
この考案のスライド開閉式紙製扇子は、涼をとるための風を送る目的の際には扇状に広げた状態で固定して使用でき、この際、扇状に広げられた表面、裏面、あるいは表面と裏面との双方の広い領域にわたって、明瞭な印刷によって、所望の図形、模様、文字を表示することができる。そこで、扇子としてだけでなく、宣伝・広告物、ノベルティグッズとしても広く利用することが可能になる。
【００４６】
この考案のスライド開閉式紙製扇子は、紙材料のみで製造することができ、しかも、同一の所定形状に成形していた複数枚の紙製シートを組み合わせるだけで製造することができるので、製造工程を簡易なものにし、製造コストを低減することができる。
【００４７】
この考案のスライド開閉式紙製扇子は、紙材料のみで製造されているので、使用後は、分別処理を行うことなしに、そのまま可燃ごみとして廃棄可能で、焼却処理に問題が生じるおそれがない。
【００４８】
そこで、この考案により、扇子や宣伝・広告物、ノベルティグッズとしての実用面においても、製造を行う製造面においても、使用後の廃棄処理における環境面においても優れたスライド開閉式紙製扇子を提供することができる。
【図１】
0003228207.tif 000003
【図２】
0003228207.tif 000004
【図３】
0003228207.tif 000005
【図４】
0003228207.tif 000006
【手続補正書】
【提出日】令和2年7月7日(2020.7.7)
【手続補正１】
【補正対象書類名】実用新案登録請求の範囲
【補正対象項目名】全文
【補正方法】変更
【補正の内容】
【実用新案登録請求の範囲】
【請求項１】
基端から先端に向かって長手方向に伸びる薄板状で、前記基端の側に孔部を備えていると共に、前記基端から前記先端に向かって伸びる２つの側縁辺の先端側における一方又は両方に前記側縁辺に対して交差する方向で中央側に向かって伸びる切込み部を備えている紙製シートの複数枚が、各紙製シートの前記孔部の位置で重ね合わされて積層され、当該積層された前記孔部の位置を中心として複数枚の前記紙製シートが旋回可能に前記孔部の位置で支持されてなるスライド開閉式紙製扇子であって、
複数枚の前記紙製シートを前記孔部の位置を中心として旋回させて扇状に広げたときに隣接する一方の前記紙製シートの前記切込み部に、隣接する他方の前記紙製シートの前記側縁辺を装入して固定することで、前記扇状に広げた状態を固定でき、
前記固定されている状態を解除して複数枚の前記紙製シートを前記孔部の位置を中心として旋回させてとじたときに、複数枚の前記紙製シートの厚みを有する、一枚の前記紙製シート分のサイズになる
スライド開閉式紙製扇子。
【請求項２】
複数枚の前記紙製シートが、各紙製シートの前記孔部の位置で重ね合わされて積層された際に最下層に位置する前記紙製シートあるいは、最上層に位置する前記紙製シートは、前記基端から前記先端に対向する方向に延出する紙製の止め辺部を前記基端に備えており、当該止め辺部が折り曲げられて積層されている複数の前記孔部内に挿入されて掛止されることで、積層された前記孔部の位置を中心として複数枚の前記紙製シートが旋回可能に前記孔部の位置で支持されている請求項１記載のスライド開閉式紙製扇子。
【請求項３】
複数枚の前記紙製シートを前記孔部の位置を中心として旋回させて扇状に広げたときに隣接する一方の前記紙製シートの前記側縁辺に前記切込み部が存在し、隣接する他方の前記紙製シートの前記側縁辺に前記切込み部が存在しない場合には、一方の前記紙製シートの前記切込み部に隣接する他方の前記紙製シートの前記側縁辺を装入することで前記固定が行われ、
複数枚の前記紙製シートを前記孔部の位置を中心として旋回させて扇状に広げたときに隣接する一方の前記紙製シートの前記側縁辺に前記切込み部が存在し、隣接する他方の前記紙製シートの前記側縁辺にも前記切込み部が存在する場合には、一方の前記紙製シートの前記切込み部に隣接する他方の前記紙製シートの前記側縁辺を装入する前記固定は、互いの前記切込み部を合わせる形態で行われる
請求項１又は２記載のスライド開閉式紙製扇子。
【手続補正２】
【補正対象書類名】明細書
【補正対象項目名】０００７
【補正方法】変更
【補正の内容】
【０００７】
[３]
複数枚の前記紙製シートを前記孔部の位置を中心として旋回させて扇状に広げたときに隣接する一方の前記紙製シートの前記側縁辺に前記切込み部が存在し、隣接する他方の前記紙製シートの前記側縁辺に前記切込み部が存在しない場合には、一方の前記紙製シートの前記切込み部に隣接する他方の前記紙製シートの前記側縁辺を装入することで前記固定が行われ
複数枚の前記紙製シートを前記孔部の位置を中心として旋回させて扇状に広げたときに隣接する一方の前記紙製シートの前記側縁辺に前記切込み部が存在し、隣接する他方の前記紙製シートの前記側縁辺にも前記切込み部が存在する場合には、一方の前記紙製シートの前記切込み部に隣接する他方の前記紙製シートの前記側縁辺を装入する前記固定は、互いの前記切込み部を合わせる形態で行われる
[１]又は[２]のスライド開閉式紙製扇子。
【手続補正３】
【補正対象書類名】明細書
【補正対象項目名】００２３
【補正方法】変更
【補正の内容】
【００２３】
なお、図１図示の実施形態では、側縁辺３ｃ、４ｃ、５ｃ、６ｃは、それぞれ切込み部３ｆ、４ｆ、５ｆ、６ｆを備えている。そこで、図２図示のように、５枚の紙製シート２、３、４、５、６を上下方向に積層されている孔部２ｅ、３ｅ、４ｅ、５ｅ、６ｅの位置を中心として旋回させて扇状に広げ、この時に隣接する一方の紙製シートの切込み部に、隣接する他方の紙製シートの側縁辺を装入して固定するときに、図示していないが、一方の紙製シートである紙製シート２の切込み部２ｇに隣接する他方の紙製シートである紙製シート３の切込み部３ｆを合わせることで固定が行われ、一方の紙製シートである紙製シート３の切込み部３ｇに隣接する他方の紙製シートである紙製シート４の切込み部４ｆを合わせることで固定が行われ、一方の紙製シートである紙製シート４の切込み部４ｇに隣接する他方の紙製シートである紙製シート５の切込み部５ｆを合わせることで固定が行われ、一方の紙製シートである紙製シート５の切込み部５ｇに隣接する他方の紙製シートである紙製シート６の切込み部６ｆを合わせることで固定が行われる形態にすることもできる。